【手続補正書】
【提出日】平成26年12月19日(2014.12.19)
【手続補正１】
【補正対象書類名】特許請求の範囲
【補正対象項目名】全文
【補正方法】変更
【補正の内容】
【特許請求の範囲】
【請求項１】
サンプル中の分析物の濃度を決定する方法であって、
サンプルにボルタンメトリー順方向リニアスキャンを適用するステップであって、順方向リニアスキャンが酸化還元対の定常状態領域内にある；
順方向スキャンに応答して電圧を変えることを適用するステップ；
電圧を変えることの関数として電流を測定するステップ；
測定された電流にデータ処理を適用するステップ；および
処理された電流からサンプル中の分析物の濃度を決定するステップを含む、前記方法。
【請求項２】
分析物が、グルコース、コレステロール、トリグリセリド、ラクテート、ピルベート、アルコール、ビリルビン、尿酸、ＮＡＤ（Ｐ）Ｈ、および一酸化炭素からなる群より選択される、請求項１に記載の方法。
【請求項３】
順方向リニアスキャンの反転点において、サンプルにボルタンメトリー逆方向リニアスキャンを適用するステップをさらに含む、請求項１または２に記載の方法。
【請求項４】
ボルタンメトリー順方向リニアスキャンとボルタンメトリー逆方向リニアスキャンが、サイクリックスキャンを形成する、請求項３に記載の方法。
【請求項５】
ボルタンメトリー順方向リニアスキャンとボルタンメトリー逆方向リニアスキャンが、
順方向スキャンからの電流ピークを、逆方向スキャンからのものより多く提供するスキャン、
逆方向スキャンからの電流ピークを、順方向スキャンからのものより多く提供するスキャン、
酸化還元対の式量電位ＥＯ’から最大±２０ｍＶ離れた点で開始するスキャン、および
酸化還元対の酸化ピークと還元ピークを実質的に排除するスキャン
の少なくとも１つから選択される非サイクリックスキャンを形成する、請求項３に記載の方法。
【請求項６】
順方向スキャンが、最小５００ｍＶ／秒の速度でスキャンの電圧を変えるステップを含む、請求項１〜５のいずれか１項に記載の方法。
【請求項７】
反転点が、２５〜４００ｍＶの定常状態領域を提供するために選択され、スキャンの定常状態領域が、電圧に対して最大±１０％の電気化学的電流の変化を含む、請求項３〜５のいずれか１項に記載の方法。
【請求項８】
順方向スキャンが、酸化還元対の２つの種の間で最小１００：１の濃度比を提供する少なくとも１つの電圧を含む、請求項１〜７のいずれか１項に記載の方法。
【請求項９】
順方向スキャンが、作用電極における最小１８０ｍＶの少なくとも１つの電位を含む、請求項１〜８のいずれか１項に記載の方法。
【請求項１０】
データ処理が、準積分データ処理、微分データ処理、準微分データ処理、およびその組み合わせからなる群から選択される、請求項１〜９のいずれか１項に記載の方法。
【請求項１１】
データ処理が、準積分データ処理を含む、請求項１に記載の方法。
【請求項１２】
準積分データ処理が、
順方向リニアスキャンからの電流を準積分し、定常状態準積分電流を決定すること；
少なくとも１つのヘマトクリットによって影響を受けた平衡電流から少なくとも１つの定常状態電流を分離すること；および
ヘマトクリット補償に応答して、ピーク電流値と定常状態電流値に対する比を決定することの少なくとも１つを含む、請求項１１に記載の方法。
【請求項１３】
準積分データ処理が、少なくとも１つの半ステップ積分を含む、請求項１１に記載の方法。
【請求項１４】
準積分データ処理が、時間依存因子を欠く、請求項１１に記載の方法。
【請求項１５】
データ処理が、準微分データ処理を含む、請求項１に記載の方法。
【請求項１６】
準微分データ処理が、ボルタンメトリー電流領域の少なくとも一部分をピークに変換する、請求項１５に記載の方法。
【請求項１７】
データ処理が、微分データ処理を含む、請求項１に記載の方法。
【請求項１８】
微分データ処理が、負側のピークを正側のピークで除算することを含むヘマトクリット補償を含む、請求項１７に記載の方法。
【請求項１９】
決定することが、ヘマトクリット補償を含む、請求項１〜１８のいずれか１項に記載の方法。
【請求項２０】
サンプル中の分析物の濃度を決定することが、ボルタンメトリー順方向リニアスキャンをクーロメトリーに置き換えた場合に比べて、基準機器から得られる濃度値により近い濃度値を提供する、請求項１〜１９のいずれか１項に記載の方法。
【請求項２１】
サンプル中の分析物の濃度を決定するための分析物測定デバイスであって、
センサストリップを受け取るようになっているボルタンメトリー走査式測定デバイスを備え；
ボルタンメトリー走査式測定デバイスは、電気回路と電気接続する少なくとも２つのデバイス接点を備え；そして
センサストリップは、少なくとも第１センサストリップ接点および第２センサストリップ接点を備え、第１センサストリップ接点は導体によって作用電極に電気接続し、第２センサストリップ接点は導体によって対向電極に電気接続し、
第１試薬層は、電極のうちの少なくとも１つの電極上にあり、第１試薬層は、オキシドレダクターゼおよび酸化還元対の少なくとも１つの種を含む、前記デバイス。
【請求項２２】
電気回路が、サンプルを含むセンサストリップにボルタンメトリースキャンを適用する手段を備える、請求項２１に記載のデバイス。
【請求項２３】
ボルタンメトリー走査が、リニアスキャンを含む、請求項２２に記載のデバイス。
【請求項２４】
センサストリップにボルタンメトリースキャンを適用する手段が、センサストリップにリニアスキャンを適用する手段を備える、請求項２３に記載のデバイス。
【請求項２５】
ボルタンメトリー走査が、サイクリックスキャンを含む、請求項２２に記載のデバイス。
【請求項２６】
センサストリップにボルタンメトリースキャンを適用する手段が、センサストリップにサイクリックスキャンを適用する手段を備える、請求項２５に記載のデバイス。
【請求項２７】
第１試薬層が、少なくとも作用電極と対向電極上にある、請求項２１〜２６のいずれか１項に記載のデバイス。
【請求項２８】
対向電極上に第２試薬層をさらに含み、第２試薬層が、酸化還元対の少なくとも１つの種を含み、
第１試薬層が、作用電極上にある、請求項２１〜２６のいずれか１項に記載のデバイス。
【請求項２９】
分析物が、グルコースである、請求項２１〜２８のいずれか１項に記載のデバイス。
【請求項３０】
サンプル中の分析物の濃度を決定するための測定デバイスであって、
デバイスは、センサストリップを受け取るようになっており、デバイスは、
接点；および
接点に電気接続した電気回路を備え、電気回路は、
電気接続した状態の、電気充電器とプロセッサを備え、プロセッサは、コンピュータ読み取り可能記憶媒体に電気接続し、
プロセッサは、接点からの電流を測定し、
コンピュータ読み取り可能記憶媒体は、コンピュータ読み取り可能ソフトウェアコードを含み、プロセッサによって実行されると、接点で測定された電流からサンプル中の分析物の濃度を決定し；
コンピュータ読み取り可能ソフトウェアコードは、プロセッサによって実行されると、電気充電器が、接点を通してボルタンメトリースキャンを適用するようにさせ、プロセッサが、測定された電流にデータ処理を実施するようにさせることを特徴とする改良を含み、
データ処理は、準積分データ処理、微分データ処理、準微分データ処理、またはその組み合わせからなる群から選択される、前記デバイス。
【請求項３１】
分析物が、グルコースである、請求項３０に記載のデバイス。
【請求項３２】
コンピュータ読み取り可能ソフトウェアコードが、プロセッサによって実行されると、電気充電器が、接点を通してボルタンメトリー順方向リニアスキャンを適用するようにさせる、請求項３０または３１に記載のデバイス。
【請求項３３】
データ処理が、測定された電流を準積分し、定常状態準積分電流を決定することを含む準積分データ処理を含む、請求項３０〜３２のいずれか１項に記載のデバイス。
【請求項３４】
データ処理が、少なくとも１つのヘマトクリットによって影響を受けた平衡電流から少なくとも１つの定常状態電流を分離する準積分データ処理を含む、請求項３０〜３２のいずれか１項に記載のデバイス。
【請求項３５】
データ処理が、少なくとも１つの半ステップ積分を含む準積分データ処理を含む、請求項３０〜３２のいずれか１項に記載のデバイス。
【請求項３６】
データ処理が、時間依存因子を欠く準積分データ処理を含む、請求項３０〜３２のいずれか１項に記載のデバイス。
【請求項３７】
データ処理が、準積分データ処理を含み、ピーク電流値の定常状態電流値に対する比を決定することを含むヘマトクリット補償を含む、請求項３０〜３２のいずれか１項に記載のデバイス。
【請求項３８】
データ処理が、ヘマトクリット補償を含む微分データ処理を含み、ヘマトクリット補償が、負側のピークを正側のピークで除算することを含む、請求項３０〜３２のいずれか１項に記載のデバイス。
【請求項３９】
データ処理が、ボルタンメトリー電流領域の少なくとも一部分をピークに変換する準微分データ処理を含む、請求項３０〜３２のいずれか１項に記載のデバイス。